(57)【要約】【課題】コイル状に配置されたアンテナコイルを有するアンテナ基板をケースに取り付けるものにおいて、ケースを大型化することなくＩＣカードの読み取り性能の向上が図られる非接触型ＩＣカード読み取り装置の基板取り付け構造を提供する。【解決手段】非接触型ＩＣカード読み取り装置の基板取り付け構造は、コイル状に配置されたアンテナコイル３１を有するアンテナ基板３０と、アンテナ基板３０を支持するケース２０と、アンテナコイル３１の内側に設けられてアンテナ基板３０をケースに取り付けるための取付機構１１、１２、１３と、を備える。【選択図】図１
2015166984.tif 000002
【特許請求の範囲】
【請求項１】
コイル状に配置されたアンテナコイルを有するアンテナ基板と、
前記アンテナ基板を支持するケースと、
前記アンテナコイルの内側に設けられて前記アンテナ基板を前記ケースに取り付けるための取付機構と、
を備える非接触型ＩＣカード読み取り装置の基板取り付け構造。
【請求項２】
前記取付機構は、
前記アンテナコイルの内側を前記アンテナ基板の厚み方向へ貫いて形成された第１穴部及び第２穴部と、
前記ケースの周壁の内側面から延び出たリブに支持され前記第１穴部に通された台部と、
前記アンテナ基板の前面側に設けられ前記台部から前記アンテナ基板の面と平行に延び出て前記アンテナ基板の前面における前記第１穴部の周囲を係止する少なくとも１つの第１係止部と、
前記台部から前記アンテナ基板の面と平行に延び出て前記アンテナ基板の厚み方向へ弾性変形可能な弾性変形部及び前記弾性変形部の先端部にあって前記アンテナ基板側へ突出し前記第２穴部に入り込むことにより前記第２穴部の内側面を係止する頭部を含む第２係止部と、
を有し、
前記アンテナ基板は、前記第１穴部に前記第１係止部を通して当該アンテナ基板の面と平行にスライドされて前記第１係止部が前記アンテナ基板の前面における前記第１穴部の周囲を係止するとともに、そのスライドに伴って前記頭部が前記アンテナ基板に押圧されて前記弾性変形部が弾性変形し更にスライドされて前記頭部が前記第２穴部に入り込んで前記弾性変形部の弾性変形が戻されて前記頭部が前記第２穴部の内側面を係止することにより、前記ケースに取り付けられる請求項１に記載の非接触型ＩＣカード読み取り装置の基板取り付け構造。
【請求項３】
前記アンテナ基板は、前記第１穴部を１つ有し、当該第１穴部に全ての前記第１係止部を通して前記ケースに取り付けられる請求項２に記載の非接触型ＩＣカード読み取り装置の基板取り付け構造。
【請求項４】
前記第２係止部は、前記第１係止部と兼用である請求項２又は３に記載の非接触型ＩＣカード読み取り装置の基板取り付け構造。
【請求項５】
前記第２係止部は、前記アンテナ基板の背面側に設けられ前記アンテナ基板を当該アンテナ基板の背面側から前面側へ向かって押し付ける請求項２又は３に記載の非接触型ＩＣカード読み取り装置の基板取り付け構造。
【請求項６】
前記ケースは、平面視で矩形に形成され、
前記ケースを設置部に固定するための固定部が、前記ケースの角部に設けられている請求項１から５のいずれか一項に記載の非接触型ＩＣカード読み取り装置の基板取り付け構造。
【発明の詳細な説明】
【技術分野】
【０００１】
本発明は、非接触型ＩＣカード読み取り装置において、アンテナコイルを有するアンテナ基板をケースに取り付ける際の基板取り付け構造に関する。
【背景技術】
【０００２】
従来、プリント基板などをケースに取り付ける際、ケースに設けられた係止爪によって基板の周囲を係止し、これにより基板をケースに保持する構造が知られている（例えば特許文献１参照）。そして、非接触型ＩＣカード読み取り装置においても同様に、アンテナコイルを有するアンテナ基板の周囲を、ケースに設けられた係止爪によって係止することにより、そのアンテナ基板をケースに取り付けることが考えられる。
【０００３】
ところで、一般に非接触型ＩＣカード読み取り装置には、ＩＣカードの読み取り性能が高いこと、すなわち装置からなるべく離れた場所のＩＣカードを反応良く読み取ることが望まれる。このＩＣカードの読み取り性能は、アンテナコイルのサイズ、及びアンテナコイルから装置の読み取り面までの距離による影響が大きい。一般的な非接触型ＩＣカード読み取り装置において、アンテナコイルのサイズ及びアンテナコイルから装置の読み取り面までの距離がＩＣカードの読み取り性能に与える影響は、全体の性能に対して３０〜５０％程度と大きい。
【先行技術文献】
【特許文献】
【０００４】
【特許文献１】特開２０１０−２８７７９０号公報
【発明の概要】
【発明が解決しようとする課題】
【０００５】
しかし、従来の基板の外周を係止する構造では、係止爪を避けてアンテナコイルを配置しなければならないため、アンテナコイルの大型化が困難になるなど、係止爪の存在が装置の読み取り性能の向上を阻害していた。
【０００６】
この場合、ケースを大型化すれば、それに伴い基板及びアンテナコイルも大型化できるため、ＩＣカードの読み取り性能を向上させることができる。しかしながら、ケースを大型化すると、設置スペースの制限や、従来製品と互換性の確保が出来なくなる等の問題からケースの大型化は好ましくない。
【０００７】
本発明は上記事情に鑑みてなされたものであり、その目的は、コイル状に配置されたアンテナコイルを有するアンテナ基板をケースに取り付けるものにおいて、ケースを大型化することなくＩＣカードの読み取り性能の向上が図られる非接触型ＩＣカード読み取り装置の基板取り付け構造を提供することにある。
【課題を解決するための手段】
【０００８】
請求項１に記載の発明では、アンテナ基板をケースに取り付けるための取付機構を、アンテナコイルの内側に設けた。これによれば、ケースに設けられた係止爪によりアンテナ基板の外周部分を係止する必要がない。つまり、係止爪を、アンテナ基板の外周部分から排除することができる。したがって、係止爪を避けてアンテナコイルを配置する必要がなくなり、アンテナコイルを、アンテナ基板の外周側の際まで配置することができる。これにより、アンテナコイルの大型化が可能となり、その結果、装置のＩＣカードの読み取り性能の向上が図られる。
【０００９】
また、これによれば、係止爪のようにケースに対してアンテナ基板の配置の邪魔になる構造物を、ケースの外側部分から排除することができる。そのため、ケースの外形の間際まで、アンテナ基板を大型化することができる。したがって、ケースを大型化することなく、アンテナ基板の大型化が可能となる。そして、アンテナ基板の大型化に伴いアンテナコイルを大型化することができ、その結果、装置のＩＣカードの読み取り性能の向上が図られる。
【００１０】
請求項２に記載の発明では、取付機構を、アンテナコイルの内側に形成された第１穴部及び第２穴部と、ケースに設けられ基板の第１穴部に通された台部と、台部に設けられた第１係止部及び第２係止部と、を有する構成とした。この構成において、第１係止部は、アンテナ基板の前面における第１穴部の周囲を係止する。これにより、第１係止部は、アンテナ基板に対し、当該アンテナ基板の前面方向への移動を規制する。また、第２係止部は、弾性変形部の先端部に設けられた頭部が、基板の第２穴部に入り込んで第２穴部の内側面を係止する。これにより、第２係止部は、アンテナ基板に対し、当該アンテナ基板の面と平行方向への移動を規制する。この場合、弾性変形部及び頭部を有する第２係止部と、頭部に係止される第２穴部とは、いわゆるスナップフィットを構成している。
【００１１】
一般に、スナップフィットを用いて基板をケースに取り付ける場合、基板でスナップフィットを押し広げるようにして、アンテナ基板を移動させる。その際、スナップフィットの頭部は、基板の移動による力を受けて、その力を、弾性変形部が弾性変形する方向つまり基板の移動方向に対して直角方向へ変換して弾性変形部に伝達する。このように、スナップフィットの頭部は、取り付けの際にアンテナ基板から当該アンテナ基板の移動方向へ向かう力を受ける。そのため、スナップフィットの頭部は、アンテナ基板の移動方向に対して厚み持たせて剛性を確保する必要がある。
【００１２】
しかし、非接触型ＩＣカード読み取り装置の基板取り付け構造において、アンテナ基板をケースに取り付ける際のアンテナ基板の移動方向を当該アンテナ基板の面に対して直角方向にすると、次のような問題がある。すなわち、この場合、アンテナ基板をケースに取り付けた状態において、スナップフィットの頭部が、アンテナ基板の前面から前方へ大きく突出する。すると、スナップフィットの頭部が邪魔になって、アンテナ基板の前面から、装置のＩＣカード読み取り面までの距離を短くすることが困難となる。その結果、アンテナコイルからＩＣカードの読み取り面までの距離を短縮することによるＩＣカードの読み取り性能の向上を図ることが阻害される。
【００１３】
そこで、第２係止部の弾性変形部を、アンテナ基板の厚み方向へ弾性変形するようにした。これにより、アンテナ基板をケースに取り付ける際のアンテナ基板の移動方向を当該アンテナ基板の面と平行な方向にすることができ、アンテナ基板をケースに対してスライドさせて取り付けることができる。したがって、第２係止部の頭部は、アンテナ基板の移動方向すなわちアンテナ基板の面と平行な方向に対して厚みを持たせればよく、アンテナ基板の面に対して直角方向すなわちアンテナ基板の厚み方向に対して厚みを持たせる必要がない。そのため、アンテナ基板をケースに取り付けた状態において、第２係止部の頭部が、アンテナ基板の前面から当該前面の直角方向へ大きく突出することを防止することができる。これにより、アンテナ基板の前面からの第２係止部の頭部の突出量を低減できる。したがって、アンテナ基板の前面から装置のＩＣカード読み取り面までの距離を短くすることができ、その結果、ＩＣカードの読み取り性能の向上を図ることができる。
【００１４】
請求項３に記載の発明では、アンテナ基板は、第１穴部を１つ有している。そして、アンテナ基板は、１つの第１穴部に全ての第１係止部を通してケースに取り付けられる。ここで、例えば取付機構は、少なくとも１つの第１係止部を有していることから、第１係止部を複数有する場合も想定される。そして、複数の第１係止部に対応して複数の第１穴部が設けられている場合、作業者は、複数の第１穴部のそれぞれに対して、対応する第１係止部を通す必要がある。したがって、この場合、第１穴部に第１係止部を通す際の狙いが定め難く組立性が悪くなる。そこで、全ての第１係止部を、１つの第１穴部に通して、アンテナ基板をケースに取り付けるようにした。これにより、作業者は、１つの第１穴部に注目して狙いを定めれば良いため、組立の際の狙いが定め易くなり、組立性の向上が図られる。
【００１５】
請求項４に記載の発明では、第２係止部を、第１係止部と兼用に構成した。これによれば、第２係止部と第１係止部とを個別に設ける必要がないため構成が簡単になる。また、第１係止部と第２係止部とについて個別に狙いを定めなくて良いため、組立が容易となる。これらの結果、生産性の向上が図られる。
【００１６】
請求項５に記載の発明では、第２係止部の弾性変形部は、アンテナ基板の背面側に設けられアンテナ基板を当該アンテナ基板の背面側から前面側へ向かって押し付ける。そのため、アンテナ基板を、極力前方すなわちＩＣカード読み取り面側に位置させることができる。したがって、アンテナ基板の前面からＩＣカード読み取り面までの距離をさらに短くすることができ、その結果、ＩＣカードの読み取り性能のさらなる向上を図ることができる。
【００１７】
請求項６に記載の発明では、ケースは、平面視で矩形に形成されている。そして、ケースを設置部に固定するための固定部を、ケースの角部に設けている。一般に、ケースには、固定部が設けられ、この固定部には、設置部に固定するためのねじ等が通される。この場合、アンテナ基板を、ケースの外形に対して極力大きくするためには、固定部と重なる部分を逃がしてアンテナ基板を形成するか、又はアンテナ基板のうち固定部と重なる部分に穴を空ける必要がある。この場合、何れにしろ、固定部を避けてアンテナコイルを配置する必要がある。したがって、固定部によって、アンテナコイルの大型化が阻害される。
【００１８】
ここで、一般的に、装置のＩＣ読み取り面には、ユーザがＩＣカードの読み取り位置を視認出来るように、アンテナコイルの形状に対応して読み取り位置が表示される。例えばアンテナコイルが矩形であれば、装置のＩＣ読み取り面には、矩形状の読み取り位置が表示される。この場合、通常、ユーザには、表示された読み取り位置に対して矩形の中心部を狙ってＩＣカードを近づけようとする意思が働くことが考えられ、読み取り位置に対して矩形の角部を狙ってＩＣカードを近づけることは考え難い。このため、矩形のアンテナコイルにおいてその角部は、ＩＣカードの読み取り性能に与える影響が他の部分に比べて比較的小さい。したがって、角部に固定部を設けることで、ケースに設けられた固定部が、ＩＣカードの読み取り性能に与える影響を極力抑えることができる。
【図面の簡単な説明】
【００１９】
【図１】第１実施形態による非接触型ＩＣカード読み取り装置を示す斜視図
【図２】非接触型ＩＣカード読み取り装置の構成を分解して示す斜視図
【図３】非接触型ＩＣカード読み取り装置の平面図
【図４】図３のＸ４−Ｘ４に沿う断面図であって、ケースに対するアンテナ基板の取り付け手順を経時的に示す図
【図５】第２実施形態による図１相当図
【図６】第２実施形態による図２相当図
【図７】第２実施形態による図４相当図
【図８】第３実施形態による図４相当図
【発明を実施するための形態】
【００２０】
以下、複数の実施形態による非接触型ＩＣカード読み取り装置の基板取り付け構造について、図面を参照して説明する。なお、各実施形態において実質的に同一の構成部位には同一の符号を付し、説明を省略する。
【００２１】
（第１実施形態）
まず、第１実施形態について、図１から図４を参照して説明する。
図１に示す非接触型ＩＣカード読み取り装置１０（以下、装置１０と称する）は、ケース２０及びアンテナ基板３０を備えている。なお、以降の説明では、アンテナ基板３０において、ケース２０側と反対側の面をアンテナ基板３０の前面とし、ケース２０側の面をアンテナ基板３０の背面とする。また、アンテナ基板３０の前面側を装置１０の前側とし、アンテナ基板３０の背面側を装置１０の後側とする。また、アンテナ基板３０の前面側を、ＩＣカード読み取り面側とする。
【００２２】
ケース２０は、絶縁性を有する合成樹脂などで構成されている。ケース２０は、図２にも示すように、周壁２０１によって外郭が構成されている。周壁２０１は、前面側から見た平面視で全体として一方向に長い矩形の筒状に形成されている。ケース２０は、矩形の筒状に形成された周壁２０１の内側に、複数のリブ２１及び台部２２を一体に有している。複数のリブ２１は、ケース２０の周壁２０１の内側面から延び出ており、ケース２０を補強するとともに、台部２２を支持している。台部２２は、ケース２０の矩形の中央部分に設けられている。台部２２は、前面側からみた平面視で一方向が開放された溝状いわゆるコ字状に形成されている。
【００２３】
台部２２は、第１係止部及び第２係止部を兼用する係止部２３を１つ有している。なお、係止部２３は、複数設けられていても良い。つまり、第１係止部及び第２係止部は、それぞれ少なくとも１つあれば良い。係止部２３は、アンテナ基板３０をケース２０に取り付けるための取付機構１１の一部を構成している。係止部２３は、図１及び図４に示すように、アンテナ基板３０がケース２０に取り付けられた状態で、アンテナ基板３０の前面側に設けられている。係止部２３は、台部２２の開放側と反対側つまりコ字状の閉塞側に設けられている。係止部２３は、台部２２からアンテナ基板３０の面と平行に延び出ている。係止部２３は、この台部２２から延び出た部分を弾性変形部２３１としている。また、図４に示すように、弾性変形部２３１の後面つまりアンテナ基板３０側を、第１係止面２３２としている。
【００２４】
すなわち、弾性変形部２３１は、アンテナ基板３０の面と平行に延びており、ケース２０の長手方向へ長い矩形の板状に形成されている。弾性変形部２３１前後方向の寸法すなわち厚み寸法は、ケース２０の短手方向すなわち幅寸法よりも小さい。弾性変形部２３１は、基端部が台部２２に接続された固定端となり、先端部が自由端となっている。これにより、弾性変形部２３１は、基端部を支点として、前後方向つまりアンテナ基板３０の厚み方向へ弾性変形可能となっている。
【００２５】
また、係止部２３は、頭部２３３を有している。頭部２３３は、弾性変形部２３１の先端部にあって、アンテナ基板３０側へ突出している。頭部２３３は、ケース２０の長手方向の中心に対して一方側寄りに設けられている。図４に示すように、頭部２３３の台部２２側の面は、弾性変形部２３１の後側面に対して直角な面に形成され、第２係止面２３４として機能する。頭部２３３の第２係止面２３４と反対側の面は、後側へ向かうほど第２係止面２３４に近づくように傾斜する斜面２３５に形成されている。
【００２６】
ケース２０は、図２及び図３に示すように、２個の固定部２４、２５、及び２個の抜け止め部２６、２７を有している。固定部２４、２５は、それぞれケース２０の矩形の角部の対角に設けられている。固定部２４、２５には、それぞれ通し穴２４１、２５１が形成されている。図示しないねじなどが、ケース２０の前側から通し穴２４１、２５１に通されて、図示しない設置部にねじ込まれる。これにより、装置１０は、設置部に固定される。
【００２７】
抜け止め部２６、２７は、図２にも示すように、それぞれケース２０の最前部にあって、ケース２０の長手方向の一方側に設けられている。抜け止め部２６は、固定部２４、２５のうちの一方、この場合、固定部２５側の近傍であって、ケース２０の矩形の短辺部分に設けられている。抜け止め部２６は、アンテナ基板３０がケース２０に取り付けられた際に、アンテナ基板３０の角部の前面を覆うように構成されている。
【００２８】
抜け止め部２７は、ケース２０の角部のうち、固定部２４、２５が存しない一の角部に設けられている。抜け止め部２７は、アンテナ基板３０がケース２０に取り付けられた際に、アンテナ基板３０の前面と、アンテナ基板３０の角の二辺部を覆うように構成されている。図４に示すように、これら抜け止め部２６、２７の厚み寸法は、係止部２３の弾性変形部２３１の厚み寸法と同等に構成されている。そして、抜け止め部２６、２７の前面と、弾性変形部２３１の前面とは、ほぼ同一面上となるように構成されている。
【００２９】
アンテナ基板３０は、例えばプリント基板で構成され、全体として一方向に長い矩形板状に構成されている。図１及び図３に示すように、アンテナ基板３０をケース２０に取り付けた際、アンテナ基板３０は、ケース２０の前面をほぼ覆っている。すなわち、アンテナ基板３０は、ケース２０の外形の間際まで大型化されている。アンテナ基板３０の角部には、ケース２０の固定部２４、２５を避けるようにして切り欠いた逃げ部３０１、３０２が形成されている。これにより、アンテナ基板３０をケース２０に取り付けた状態において、ケース２０の固定部２４、２５は、アンテナ基板３０と重ならずに前方へ露出している。
【００３０】
図３にも示すように、アンテナ基板３０は、アンテナコイル３１を有している。アンテナコイル３１は、プリント配線によってアンテナ基板３０前面に配置されたコイル状のアンテナである。アンテナコイル３１は、抜け止め部２６、２７を避けるとともに逃げ部３０１、３０２に沿って、アンテナ基板３０の長手方向に扁平した八角形状に配置されている。アンテナコイル３１の最外周の配線は、アンテナ基板３０の外周縁部の間際に配置されている。
【００３１】
図２に示すように、アンテナ基板３０は、第１穴部３２及び第２穴部３３を１つずつ有している。第１穴部３２及び第２穴部３３は、アンテナ基板３０をケース２０に取り付けるための取付機構１１の一部を構成している。第１穴部３２及び第２穴部３３は、アンテナコイル３１の内側にあって、アンテナ基板３０を厚み方向へ貫いて形成されている。第１穴部３２は、アンテナ基板３０の長手方向の一方向、この場合、抜け止め部２７と反対側へ向かって突出した凸形状に形成されている。第１穴部３２は、ケース２０の台部２２及び係止部２３が抜き差し可能な形状に形成されている。アンテナ基板３０が取り付けられた際、台部２２は、アンテナ基板３０の第１穴部３２に通されている。
【００３２】
第２穴部３３は、第１穴部３２の凸形状の先端部側に設けられ、第１穴部３２から離間して形成されている。第２穴部３３は、アンテナ基板３０長手方向の中心に対して抜け止め部２６、２７と反対側寄りに設けられている。第２穴部３３は、ケース２０の係止部２３に設けられた頭部２３３が挿入可能に形成されている。この場合、第２係止部としての係止部２３は、第２穴部３３と共にいわゆるスナップフィットを構成する。
【００３３】
装置１０は、図４に示すように、制御基板１５及びカバー１６を備えている。アンテナコイル３１の端部は、図示しないコネクタなどによって、制御基板１５に設けられた図示しない制御回路に接続される。制御回路は、アンテナコイル３１を介して、ＩＣカードと非接触による情報の送受信及びその情報の処理を行う。カバー１６は、ケース２０の後部に設けられ、ケース２０の後部を覆っている。
【００３４】
次に、ケース２０に対するアンテナ基板３０の取り付け方法について説明する。
まず、作業者は、アンテナ基板３０を、ケース２０の前方からケース２０に近づく方向へ移動させる。その際、作業者は、アンテナ基板３０の第１穴部３２に、ケース２０の台部２２及び係止部２３を通すようにして、アンテナ基板３０を、ケース２０の前端部に配置する。なお、係止部２３が複数ある場合は、全ての係止部２３を、１つの第１穴部３２に通すようにする。これにより、アンテナ基板３０は、図４（ａ）に示すように、ケース２０において周壁２０１の前端部及びリブ２１の前端部に載置される。その後、作業者は、アンテナ基板３０を、ケース２０の長手方向の一方側、この場合、抜け止め部２６、２７側へスライドさせて移動させる。
【００３５】
アンテナ基板３０をスライドさせると、係止部２３の頭部２３３における斜面２３５と、アンテナ基板３０における第１穴部３２の周囲とが接触する。これにより、頭部２３３は、アンテナ基板３０をケース２０に取り付ける際のアンテナ基板３０の移動による力を受ける。そして、頭部２３３は、斜面２３５で受けたアンテナ基板３０の移動に伴う面方向の力を、面方向に対して直角方向つまり弾性変形部２３１が弾性変形する方向この場合前方へ変換して、弾性変形部２３１へ伝達する。すると、弾性変形部２３１は、基端部を支点としてアンテナ基板３０の厚み方向であってケース２０から離間する方向すなわち前方へ弾性変形し、これにより、頭部２３３が、アンテナ基板３０の前面に乗り上げる。そして、さらにアンテナ基板３０をスライドさせると、頭部２３３は、第１穴部３２と第２穴部３３との間のアンテナ基板３０を乗り越え、弾性変形部２３１の弾性変形が戻されて第２穴部３３に入り込む。これにより、アンテナ基板３０は、係止部２３によって移動が規制され、ケース２０に取り付けられた状態となる。
【００３６】
すなわち、アンテナ基板３０がケース２０に取り付けられた状態において、弾性変形部２３１の第１係止面２３２は、図４（ｂ）に示すように、アンテナ基板３０の第１穴部３２の周囲を係止する。この場合、第１係止面２３２は、弾性変形部２３１の弾性力によって、アンテナ基板３０を背面側つまり後方へ押し付ける。したがって、係止部２３は、アンテナ基板３０に対し、ケース２０から離間する方向であってアンテナ基板３０の面に対して直角方向この場合前方への移動を規制する。この場合、係止部２３は、第１係止部として機能する。
【００３７】
また、アンテナ基板３０がケース２０に取り付けられた状態において、頭部２３３の第２係止面２３４は、アンテナ基板３０の第２穴部３３の内側面を係止する。したがって、係止部２３は、アンテナ基板３０に対し、ケース２０から離間する方向であってアンテナ基板３０の面と平行方向への移動、この場合固定部２４側への移動を規制する。この場合、係止部２３は、第２係止部として機能する。
【００３８】
アンテナ基板３０において、ケース２０の抜け止め部２７は、取り付けの際のスライド方向の先端側にある２つの角部のうち一方の角部の二側辺を係止する。したがって、抜け止め部２７は、アンテナ基板３０のさらなる面方向この場合固定部２５側への移動と、アンテナ基板３０の面に平行に回転する方向への移動とを規制する。また、ケース２０の抜け止め部２６、２７は、アンテナ基板３０をケース２０に取り付けた状態において、それぞれアンテナ基板３０の角部を覆っている。したがって、抜け止め部２６、２７は、ケース２０から離間する方向であってアンテナ基板３０の面に対して直角方向この場合前方への移動を規制する。
【００３９】
作業者は、上述した取り付け手順と逆の手順を行うことで、アンテナ基板３０をケース２０から取り外すことができる。すなわち、アンテナ基板３０をケース２０から取り外す場合、作業者は、まず、弾性変形部２３１を前方へ弾性変形させて、頭部２３３をアンテナ基板３０の第２穴部３３から外す。これにより、頭部２３３の第２係止面２３４による係止が解除されて、アンテナ基板３０のスライド移動が可能になる。そして作業者は、アンテナ基板３０を固定部２４側へスライドさせた後、台部２２及び係止部２３を第１穴部３２に通して、アンテナ基板３０をケース２０から取り外す。
【００４０】
以上説明した第１実施形態では、装置１０は、アンテナ基板３０をケース２０に取り付けるための取付機構１１として、ケース２０に設けた係止部２３と、アンテナ基板３０に設けた第１穴部３２及び第２穴部３３と、を備えている。そして、この取付機構１１を、アンテナコイル３１の内側に設けた。これによれば、アンテナ基板３０の外周部分に、アンテナ基板３０を係止するための係止爪などの構造を設ける必要が無い。そのため、アンテナ基板３０の外周部分に設けられた係止爪などの構造を避けてアンテナコイル３１を配置する必要がなくなり、アンテナコイル３１を、アンテナ基板３０の外周側の間際まで配置することができる。これにより、ケース２０のサイズを変更することなくアンテナコイル３１の大型化が行われ、その結果、装置１０のＩＣカードの読み取り性能の向上を図ることができる。
【００４１】
ケース２０の外周部には、アンテナ基板３０の配置の邪魔になる係止爪などの構造物が設けられていない。そのため、ケース２０の外周部の間際まで、アンテナ基板３０を大型化することができる。したがって、ケース２０を大型化することなく、アンテナ基板３０を大型化することができる。これにより、アンテナ基板３０の大型化に伴いアンテナコイル３１の大型化することができ、その結果、装置１０のＩＣカード読み取り性能の向上を図ることができる。
【００４２】
取付機構１１は、アンテナ基板３０にあってアンテナコイル３１の内側に設けられた第１穴部３２及び第２穴部３３と、ケース２０に設けられ第１係止部及び第２係止部を兼用する係止部２３と、を有している。係止部２３の第１係止面２３２は、アンテナ基板３０の前面における第１穴部３２の周囲を係止する。これにより、係止部２３は、第１係止部として、アンテナ基板３０に対し、当該アンテナ基板３０の厚み方向への移動を規制する。また、係止部２３の頭部２３３は、アンテナ基板３０の第２穴部３３に入り込み当該第２穴部３３の内側面を係止する。これにより、係止部２３は、第２係止部として、アンテナ基板３０に対し、当該アンテナ基板３０の面と平行方向への移動を規制する。すなわち、係止部２３は、第１係止部としてアンテナ基板３０の厚み方向への移動を規制し、第２係止部としてアンテナ基板３０の面と平行方向への移動を規制することで、より確実に、アンテナ基板３０をケース２０に保持状態で取り付けることができる。
【００４３】
ケース２０は、係止部２３の第１係止面２３２と抜け止め部２６、２７との３点で、アンテナ基板３０の前方への移動を規制する。したがって、第１係止面２３２の１点でアンテナ基板３０を係止する場合に比べて、より確実にアンテナ基板３０を保持することができる。ここで、抜け止め部２６、２７から第１係止面２３２までの距離が短く、第１係止面２３２からアンテナ基板３０の抜け止め部２６、２７と反対側の端部までの距離が長い場合、第１係止面２３２を支点としてアンテナ基板３０の抜け止め部２６、２７と反対側の端部が浮き上がるおそれがある。そのため、本実施形態において、第１係止面２３２は、アンテナ基板３０の長手方向に対して中心よりも抜け止め部２６、２７と反対側寄りに設けられている。すなわち、係止部２３の第１係止面２３２と、抜け止め部２６、２７との距離を、極力大きく確保している。これにより、第１係止面２３２を支点としてアンテナ基板３０の抜け止め部２６、２７と反対側の端部が浮き上がることを極力防止することができる。
【００４４】
第２係止部としての係止部２３を、アンテナ基板３０の面と平行に延びてアンテナ基板３０の厚み方向へ弾性変形可能な弾性変形部２３１を有する構成とした。これにより、アンテナ基板３０をケース２０に取り付ける際のアンテナ基板３０の移動方向をアンテナ基板３０の面に平行な方向にすることができ、アンテナ基板３０をケース２０に対してスライドさせて取り付けることができる。したがって、第２係止部を構成する頭部２３３は、アンテナ基板３０の移動方向すなわち面方向に対して厚み持たせればよく、アンテナ基板３０の面に対して直角方向つまり前後方向に厚みを持たせる必要がない。そのため、アンテナ基板３０をケース２０に取り付けた状態において、頭部２３３が、アンテナ基板３０の前面から前方へ大きく突出することを防止することができる。これにより、アンテナ基板３０の前面からの頭部２３３の突出量を低減できる。したがって、アンテナ基板３０の前面から装置１０のＩＣカード読み取り面までの距離を短くすることができ、その結果、ＩＣカードの読み取り性能の向上を図ることができる。
【００４５】
アンテナ基板３０は、第１穴部３２を１つ有し、その１つの第１穴部３２に全ての係止部２３を通してケースに取り付けられる構成とした。これにより、作業者は、１つの第１穴部３２に注目して狙いを定めれば良いため、組立の際の狙いが定め易くなり、組立性の向上が図られる。
また、係止部２３は、第２係止部と第１係止部と兼用している。これによれば、アンテナ基板３０に対し、前方への移動を規制する第１係止部と当該アンテナ基板３０の面と平行方向への移動を規制する第２係止部とをそれぞれ個別に設ける必要がなく、したがって構成が簡単になる。また、第１係止部と第２係止部とをそれぞれ係止させるために、個別に狙いを定めなくて良いため、組立が容易となる。これらの結果、生産性の向上が図られる。
【００４６】
ケース２０は、平面視で矩形に形成されている。そして、ケース２０を設置部に固定するための固定部２４、２５を、ケース２０の角部に設けている。すなわち、固定部２４、２５を、矩形のアンテナコイルにおいてＩＣカードの読み取り性能に与える影響が他の部分に比べて比較的小さい矩形の角部に設けている。これにより、ケース２０に設けられた固定部２４、２５が、ＩＣカードの読み取り性能に与える影響を極力抑えることができる。
【００４７】
（第２実施形態）
次に、第２実施形態について、図５から図７を参照して説明する。
第２実施形態では、アンテナ基板３０をケース２０に取り付けるための取付機構１２の具体的構成が、上記第１実施形態の取付機構１１と異なる。すなわち、第１実施形態において、係止部２３は、第１係止部と第２係止部とを兼用していた。一方、第２実施形態において、第１係止部４２と第２係止部４３とを分けて構成している。
すなわち、第２実施形態において、ケース２０は、第１実施形態の台部２２及び係止部２３に換えて、台部４１、２個の第１係止部４２、及び第２係止部４３を有している。台部４１は、ケース２０の中央部分にあってリブ２１に支持されている。２個の第１係止部４２は、ケース２０の短手方向に並んで配置されている。第１係止部４２は、台部４１の前側にあって、ケース２０の抜け止め部２７と反対側へ向かって延びている。第１係止部４２の後面つまりアンテナ基板３０側の面は、第１係止面４２１として機能する。
【００４８】
第２係止部４３は、いわゆるスナップフィットであって、２個の第１係止部４２の間に設けられている。第２係止部４３は、図６に示すように、弾性変形部４３１と頭部４３２とから構成されている。弾性変形部４３１は、台部４１の前側部分で、かつ、第１係止部４２よりもアンテナ基板３０の厚み分だけ後側にあって、ケース２０の抜け止め部２７と反対側へ延びている。この場合、第１係止部４２の第１係止面４２１と、弾性変形部４３１のアンテナ基板３０側の面つまり前面とは、アンテナ基板３０の厚み分だけ離間している。弾性変形部４３１は、第１実施形態の弾性変形部２３１と同様に、前後方向に薄い矩形の板状に構成され、基端部が台部４１に接続された固定端となり、先端部が自由端となっている。そのため、弾性変形部４３１も、前後方向すなわちアンテナ基板３０の厚み方向へ弾性変形可能となっている。
【００４９】
頭部４３２は、弾性変形部４３１の先端部に設けられている。頭部４３２は、第１実施形態の頭部２３３と、前後方向において対称に構成されている。すなわち、図７に示すように、頭部４３２の台部４１側の面は、弾性変形部４３１の前面に対して直角な面に形成され、第２係止面４３３として機能する。頭部４３２の第２係止面４３３と反対側の面は、前側へ向かうほど第２係止面４３３に近づくように傾斜する斜面４３４に形成されている。
【００５０】
第２実施形態のアンテナ基板３０は、図６に示すように、第１実施形態の第１穴部３２及び第２穴部３３に換えて、第１穴部５１及び第２穴部５２を１つずつ有している。第１穴部５１及び第２穴部５２は、アンテナコイル３１の内側に設けられている。第１穴部５１は、第１係止部４２に対応し、アンテナ基板３０を厚み方向へ矩形に貫いて形成されている。第１穴部５１は、第１係止部４２が挿入可能に構成されている。第２穴部５２は、第２係止部４３に対応し、アンテナ基板３０を厚み方向へ矩形に貫いて形成されている。第２穴部５２は、第２係止部４３の頭部４３２が挿入可能に構成されている。
【００５１】
アンテナ基板３０をケース２０に取り付ける際、１つの第１穴部５１に対し、全ての第１係止部４２この場合２つの第１係止部４２が通される。そして、アンテナ基板３０は、図７（ａ）に示すように、第１実施形態と同様に、ケース２０に対してスライドさせて取り付けられる。その際、第２係止部４３の頭部４３２は、アンテナ基板３０からスライド移動による力を受けて、弾性変形部４３１を後方へ弾性変形させる。これにより、頭部４３２が、アンテナ基板３０の後面に乗り上げる。そして、さらにアンテナ基板３０をスライドさせると、図７（ｂ）に示すように、頭部４３２が第２穴部５２に入り込む。これにより、アンテナ基板３０は、ケース２０に取り付けられた状態となる。
【００５２】
図７（ｂ）に示すように、アンテナ基板３０がケース２０に取り付けられた状態において、第１係止部４２の第１係止面４２１は、アンテナ基板３０の第１穴部５１の周囲この場合アンテナ基板３０の前面を係止する。したがって、第１係止部４２は、アンテナ基板３０に対し、ケース２０から離間する方向であってアンテナ基板の面に対して直角方向この場合前方への移動を規制する。
【００５３】
アンテナ基板３０がケース２０に取り付けられた状態において、頭部４３２の第２係止面４３３は、アンテナ基板３０の第２穴部５２の内側面を係止する。したがって、第２係止部４３は、アンテナ基板３０に対し、ケース２０から離間する方向であってアンテナ基板３０の面と平行方向への移動、この場合固定部２４側への移動を規制する。またこの場合、第２係止部４３は、弾性変形部４３１の弾性力によって、アンテナ基板３０を前方へ押し付けている。
【００５４】
以上説明した第２実施形態によれば、上記第１実施形態と同様の作用効果が得られる。
また、アンテナ基板３０がケース２０に取り付けられた状態において、第２係止部４３は、弾性変形部４３１の弾性力によって、アンテナ基板３０を前方へ押し付けている。そのため、アンテナ基板３０を、極力前方すなわちＩＣカード読み取り面側に位置させることができる。したがって、アンテナ基板３０の前面から装置１０のＩＣカード読み取り面までの距離をさらに短くすることができ、その結果、ＩＣカードの読み取り性能のさらなる向上を図ることができる。
【００５５】
（第３実施形態）
次に、第３実施形態について、図８を参照して説明する。
第３実施形態において、装置１０は、取付機構１３として第３係止部６１、６２と、第３穴部７１とを備えている。第３係止部６１、６２は、アンテナコイル３１の内側にあって、ケース２０に設けられている。第３穴部７１は、アンテナコイル３１の内側にあって、アンテナ基板３０を矩形に貫いて形成されている。第３係止部６１、６２は、いわゆるスナップフィットであって、ケース２０の中央部分からケース２０の前方へ突出して設けられている。第３係止部６１、６２は、ケース２０の長手方向の中心に対して対称に形成されている。第３係止部６１、６２は、前方へ延びる弾性変形部６１１、６２１、及び弾性変形部６１１、６２１の先端部に設けられた頭部６１２、６２２を有している。頭部６１２、６２２は、それぞれ第３係止面６１３、６２３と、斜面６１４、６２４とを有している。この場合、頭部６１２、６２３は、アンテナ基板３０の厚み方向つまり前後方向対して厚く形成されている。
【００５６】
また、ケース２０は、上記各実施形態における抜け止め部２７に換えて、抜け止め部２８を有している。抜け止め部２８は、アンテナ基板３０がケース２０に取り付けられた際に、アンテナ基板３０の角の二辺部を覆い、アンテナ基板３０の前面は覆わないように構成されている。
【００５７】
アンテナ基板３０をケース２０に取り付ける際、アンテナ基板３０は、図８（ａ）に示すように、ケース２０の前方から、ケース２０に対して近づく方向へ移動される。すると、第３係止部６１、６２の弾性変形部６１１、６２１は、アンテナ基板３０から移動による力を受けて相互に近接する方向に弾性変形し、頭部６１２、６２２が第３穴部７１に通される。その後、弾性変形部６１１、６２１の弾性変形が復元され、頭部６１２、６２２の第３係止面６１３、６２３が、第３穴部７１周囲のアンテナ基板３０の前面を係止する。これにより、第３係止部６１、６２は、アンテナ基板３０の前方への移動を規制する。
【００５８】
第３実施形態では、アンテナ基板３０をケース２０に取り付けるための取付機構１３として、第３係止部６１、６２と、第３穴部７１とを、アンテナコイル３１の内側に設けた。これによれば、上記各実施形態と同様に、アンテナ基板３０の外周部分を係止爪などで係止する必要がないため、アンテナ基板３０の外形間際までアンテナコイル３１を大型化することができる。また、これによれば、上記各実施形態と同様に、ケース２０の外周部には、アンテナ基板３０の配置の邪魔になる係止爪などの構造物を設ける必要がない。そのため、ケース２０の外形間際まで、アンテナ基板３０を大型化することができる。したがって、ケース２０を大型化することなく、アンテナ基板３０を大型化することができる。そして、アンテナ基板３０の大型化に伴いアンテナコイル３１を大型化することができる。
【００５９】
すなわち、第３実施形態によれば少なくとも、アンテナ基板３０の外周部分に係止爪等が存在しないことによるアンテナコイル３１の大型化、及びケース２０の外周部分に係止爪等が存在しないことによるアンテナ基板３０の大型化に伴うアンテナコイル３１の大型化、を行うことができる。その結果、ＩＣカード読み取り性能の向上を図ることができる。
【００６０】
（その他の実施形態）
以上説明した本発明は、上記各実施形態に限定されるものではなく、その要旨を逸脱しない範囲で種々の実施形態に適用可能である。
【００６１】
例えばケース２０及びアンテナ基板３０は、平面視で正方形にしても良い。
アンテナコイル３１の巻数は、読み取りの対象となるＩＣカードなどに応じて適宜変更することが出来る。
【符号の説明】
【００６２】
図面中、１０は非接触型ＩＣカード読み取り装置、１１、１２、１３は取付機構、２０はケース、２１はリブ、２２は台部、２３は係止部（第１係止部、第２係止部）、２３１は弾性変形部、２３３は頭部、２４、２５は固定部、３０はアンテナ基板、３１はアンテナコイル、３２は第１穴部、３３は第２穴部、４２は第１係止部、４３は第２係止部、４３１は弾性変形部、４３２は頭部、５１は第１穴部、５２は第２穴部を示す。
【図１】
2015166984.tif 000003
【図２】
2015166984.tif 000004
【図３】
2015166984.tif 000005
【図４】
2015166984.tif 000006
【図５】
2015166984.tif 000007
【図６】
2015166984.tif 000008
【図７】
2015166984.tif 000009
【図８】
2015166984.tif 000010